(57)【要約】【課題】  竿や洋服ダンス内等に配置されている横架パイプに掛止する際に、左右均等に衣類等を掛けてなくても荷重の重い方に傾くことのない、かつスカーフやハンカチ、ソックスやストッキング、アクセサリー等の身の回りの小物を整然と整理することができるハンガーを提供する。【解決手段】  横架パイプの途中に掛止した着脱自在のクリップとその下部に垂設されたハンガー枠体からなり、前記着脱自在のクリップが横架パイプを挟み込むように付勢されて掛止され、かつそのパイプ表面と前記クリップの接触面が大きく構成され、前記クリップの下部に、水平方向へ回動自在にハンガー枠体が垂設され、前記ハンガー枠体を介して多数の小物を懸吊する小物ハンガーである。【選択図】    図１
2005118235.tif 000002
【特許請求の範囲】
【請求項１】
横架パイプの途中に掛止した着脱自在のクリップとその下部に垂設されたハンガー枠体を介して多種の小物を懸吊する小物ハンガーにおいて、前記着脱自在のクリップが横架パイプを挟み込むように付勢されて掛止され、かつそのパイプ表面との接触面が大きく構成されてなり、
前記クリップの下部には、水平方向へ回動自在にハンガー枠体が垂設されてなることを特徴とする小物ハンガー。
【請求項２】
横架パイプの途中に掛止した着脱自在のフックとその下部に垂設されたハンガー枠体を介して多種の小物を懸吊する小物ハンガーにおいて、前記着脱自在のフックが横架パイプを掴み込むように付勢されて掛止され、かつそのパイプ表面との接触面が大きく構成されてなり、
前記フックの下部には、水平方向へ回動自在にハンガー枠体が垂設されてなることを特徴とする小物ハンガー。
【請求項３】
前記クリップが、一対の櫛状のクリップ片が合掌するごとく構成されることを特徴とする請求項１に記載の小物ハンガー。
【請求項４】
前記ハンガー枠体に複数個の挟み具が備えられてなることを特徴とする請求項１〜３のいずれか１項に記載の小物ハンガー。
【請求項５】
前記クリップ又はフックが、ハンガー枠体に着脱自在に取着されてなることを特徴とする請求項１〜４のいずれか１項に記載の小物ハンガー。
【発明の詳細な説明】
【技術分野】
【０００１】
本発明は、ハンガー、特に多種多数の小物を整然と懸吊することできる小物ハンガーに関するものである。
【背景技術】
【０００２】
従来より、ジャケットやスーツの上着などの衣類の皺取りや整理のためにハンガーが一般に広く用いられている。もっとも一般的なハンガーは、図１２（ａ）の従来のハンガーの斜視図に示すように衣類の肩部の形状に沿うように形成されたハンガー本体１５と、その中央上部に掛止用のフック１６が備えられて構成されているものである。
また、図１２（ｂ）のハンガーのようにスーツなど上着とセットで着用されるスカートやズボンを、前記上着を掛けたハンガーに一緒に懸吊できるように、横架棒や挟み具１７が備えられたハンガーも広く用いられている。その他、ズボンやスカートだけを懸吊できるタイプのハンガーなど、様々なハンガーが用いられている。
【０００３】
そして、上記のような衣類を掛けるためのハンガーの他、衣類とともに用いられる身の回り品、例えば、スカーフなどの小物を懸吊することができるものも公知となっている。
例えば、実開平５−２１８９２号公報においては、逆Ｖ字形のハンガーに、同ハンガーの内側の逆Ｖ字形の線に沿って複数個の挟み具を設けて構成されるハンガーが開示されている。
【特許文献１】実用新案出願公開番号  実開平５−２１８９２
【発明の開示】
【発明が解決しようとする課題】
【０００４】
上記のように、様々なハンガーが用いられており、どのハンガーも、物干し竿や洋服ダンスの横架パイプに掛止するためのフック１６（図１２参照）は、前記竿や横架パイプの直径より大きめの円弧状の鉤型状に形成され、竿や横架パイプへの掛止や取り外しが容易に構成されている。
そのために、竿や横架パイプに掛止することは容易であるが、掛止後は不安定であるという問題があった。しかし、竿や、横架パイプへの掛止状態が不安定な場合は、例えば、横風を受けると、ハンガーが移動したり傾いてしまい、竿から外れてしまう。
また、ハンガー本体に左右均等に衣類を掛けておかないと荷重の重い方に傾いてしまい、衣類の取り外しの際に使い勝手が悪く、最悪はハンガー本体に掛けてある衣類がハンガー本体から抜け落ちてしまうという問題があった。
特に、スカーフなどの小物を多数掛けておく小物用のハンガーにおいては、ハンガーが傾いてしまうことにより、例えば、ストッキングなど他のものとの接触により、破損してしまうということもあり、また、横架パイプに複数のハンガーを掛止させた際、それぞれのハンガーがてんでんばらばらに傾いていると、多数の衣類や小物を整然と整理することができないという問題があった。
【課題を解決するための手段】
【０００５】
本発明は、上記問題点を解決するものであり、下記構成の小物ハンガーを提供するものである。
（１）横架パイプの途中に掛止した着脱自在のクリップとその下部に垂設されたハンガー枠体を介して多種の小物を懸吊する小物ハンガーにおいて、前記着脱自在のクリップが横架パイプを挟み込むように付勢されて掛止され、かつそのパイプ表面との接触面が大きく構成されてなり、前記クリップの下部には、水平方向へ回動自在にハンガー枠体が垂設されてなることを特徴とする小物ハンガー。
（２）横架パイプの途中に掛止した着脱自在のフックとその下部に垂設されたハンガー枠体を介して多種の小物を懸吊する小物ハンガーにおいて、前記着脱自在のフックが横架パイプを掴み込むように付勢されて掛止され、かつそのパイプ表面との接触面が大きく構成されてなり、前記フックの下部には、水平方向へ回動自在にハンガー枠体が垂設されてなることを特徴とする小物ハンガー。
（３）前記クリップが、一対の櫛状のクリップ片が合掌するごとく構成されることを特徴とする前記（１）に記載の小物ハンガー。
（４）前記ハンガー枠体に複数個の挟み具が備えられてなることを特徴とする前記（１）〜（３）のいずれか１項に記載の小物ハンガー。
（５）前記クリップ又はフックが、ハンガー枠体に着脱自在に取着されてなることを特徴とする前記（１）〜（４）のいずれか１項に記載の小物ハンガー。
【発明の効果】
【０００６】
本発明における小物ハンガーは、横架パイプの途中に掛止するための着脱自在のクリップと、前記クリップの下部に垂設されたハンガー枠体とで構成され、前記ハンガー枠体を介して多種の小物を懸吊することができるものであり、さらに、前記着脱自在のクリップが横架パイプを挟み込むように付勢されて掛止され、かつそのパイプ表面との接触面が大きく構成されるので、クリップは横架パイプを確実に挟持することができ、垂設されるハンガー枠体やその下方に懸吊される小物等の荷重が不均衡であっても傾くことなく、かつ、横風等により飛ばされたり、外れたりすることがなく、多種多様の小物を整然と整理することができる。
さらに、本発明における小物ハンガーのクリップを、一対の櫛状のクリップ片が合掌するごとく構成した場合には、軽量で、かつ横架パイプへの掛止が非常に容易な上、確実に横架パイプを挟持することができる。
【０００７】
また、本発明の小物ハンガーによれば、前記小物ハンガーが、横架パイプの途中に掛止するための着脱自在なフックと、前記フックの下部に垂設されたハンガー枠体とで構成され、前記ハンガー枠体を介して多種の小物を懸吊することができるものであり、さらに、前記着脱自在のフックが横架パイプを挟み込むように付勢されて掛止され、かつそのパイプ表面との接触面が大きく構成されるので、フックは横架パイプを確実に挟持することができ、垂設されるハンガー枠体やその下方に懸吊される小物等の荷重が不均衡であっても傾くことなく、かつ、横風等により飛ばされたり、外れたりすることがなく、多種多様の小物を整然と整理することができる。
【０００８】
そして、本発明の小物ハンガーは、クリップ又はフックの下部にハンガー枠体が水平方向へ回動自在に垂設されているので、使用場所や、使用目的に合わせて、適宜回動させることができ、例えば、前記小物ハンガーの挟み具に小物を挟む時や外す時に、適宜回動させることにより、無理な体勢で作業しなくてもよく、また、洋服ダンスの中などへの保管時には、必要以上に場所を占領することのない状態まで回動させることができるので、効率よくスペースを使うことができる。
【０００９】
また、本発明の小物ハンガーによれば、使用状況に合わせて、任意の複数の挟み具が備えられて構成されるので、多種多数の小物を容易に懸吊することができ、また、一目で懸吊されている小物の判別ができるので、所望の小物を探す時は容易に発見することができる。
【発明を実施するための最良の形態】
【００１０】
本発明の実施の形態を図に基づいて説明する。
図１は本発明の小物ハンガーの実施例１の斜視図、図２は実施例１の説明用斜視図であり、図３は本発明の小物ハンガーの実施例２の斜視図、図４は本発明の小物ハンガーにおけるクリップの説明用斜視図、図５は本発明の小物ハンガーの実施例３の説明用斜視図、図６は本発明の小物ハンガーの実施例４の説明用斜視図、図７は本発明の小物ハンガーにおけるクリップとハンガー枠体の取着の説明用斜視図であり、図８は本発明の小物ハンガーの実施例５の説明用斜視図、図９は本発明の小物ハンガーの使用例１を示す説明用斜視図、図１０の本発明の小物ハンガーの使用例２の説明用斜視図、図１１は本発明の小物ハンガーの使用例３の説明用斜視図、図１２は従来のハンガーの斜視図である。
図中、１は小物ハンガー、２はクリップ、２’、２”はクリップ片、３、３ａ、３ｂ、３’、３”はハンガー枠体、４は挟み具、５はフック、６は嵌合用溝、７は嵌合用凸状部、８鉤型フック、９は凹部、１０は靴下（ストッキング）、１１はハンカチ、１２はスカーフ、１３はベルト、１４はロープ、１５は（従来のハンガーの）ハンガー枠体、１６は（従来のハンガーの）フック、１７は挟み具、２０は連結用支軸、２１はコイルバネ、２２は連結用支軸挿通孔、２３はコイルバネの端部、Ｐは横架パイプである。
【００１１】
本発明における小物ハンガー１は、多種多数の小物、例えば、ストッキングや、スカーフ、ハンカチ、ベルト等を整然と懸吊して整理する際に用いられるものであり、図１の本発明の小物ハンガーの実施例１の斜視図に示すように、本発明の小物ハンガー１は、横架パイプＰの途中に掛止される着脱自在のクリップ２と、ハンガー枠体３からなり、ハンガー枠体３は、クリップ２の下部に垂設されて構成されている。そして、前記ハンガー枠体３を介して多種の小物が懸吊される。本実施例１においては、ハンガー枠体３の下方に挟み具４が垂設され、多種の小物が懸吊できる構成となっている。
なお、本発明の小物ハンガー１は、前記着脱自在のクリップ２が横架パイプＰを挟み込むように付勢されて掛止されており、かつ前記クリップ２は横架パイプＰの表面との接触面が大きく構成されている。
さらに、前記クリップ２の下部に垂設されるハンガー枠体３は、図２の実施例１の説明用斜視図に示すように水平方向へ回動自在に構成されている。
【００１２】
また、本発明における小物ハンガー１は、図３の本発明の小物ハンガーの実施例２の斜視図に示すように、横架パイプＰの途中に掛止される着脱自在のフック５とハンガー枠体３から構成することもできるものであり、前記フック５の下部にハンガー枠体３が垂設されて構成される。そして、前記ハンガー枠体３を介して多種の小物を挟み具４で懸吊することができるものである。
実施例２におけるフック５は、板材を湾曲させて作製されたもので、横架パイプＰを挟み込むように付勢され掛止されており、前記フック５は横架パイプＰの表面との接触面が大きくなるように構成されている。
そして、前記フック５の下部に垂設されるハンガー枠体３は、水平方向へ回動自在に構成されている。
【００１３】
本発明における小物ハンガー１を構成するクリップ２は、一対の櫛状のクリップ片２’、２”が合掌するごとく構成されるものであり、図４の本発明におけるクリップの説明用斜視図に示すように、前記クリップ２を構成する一対の櫛状のクリップ片２’、２”には、連結用支軸挿通孔２２が複数個設けられ、前記複数の連結用支軸挿通孔２２にコイルバネ２１に挿通された連結用支軸２０が貫設されており、同コイルバネ２１の端部２３が、クリップ片２’、２”の一部に当接されて構成されている。
上記構成はクリップ２の一例であるが、クリップ２が、横架パイプＰを挟み込むことができ、かつ横架パイプＰの表面との接触面が大きくとれるものであれば、その構成は問わない。
例えば、図５の本発明の小物ハンガーの実施例３、図６の本発明の小物ハンガーの実施例４の説明用斜視図に示すように、クリップ２を構成する一対の櫛状のクリップ片２’や２”の櫛の歯が少数（図５においては各２本）にしても、多数（図６においては各８本）にしてもよい。
上記構成によるクリップ２は、掛止するものの（例えば、横架パイプＰや、竿等）太さに関係なく、自在に掛止することができる形状となっている。
もちろん、予め横架パイプＰ等の掛止するものの太さや形状を認知している場合などには、その太さに合った大きさのクリップ２を適宜選択することが好ましい。
【００１４】
本発明の小物ハンガー１においては、クリップ２又はフック５の下部にハンガー枠体３が垂設されて構成されている。前記クリップ２又はフック５は、ハンガー枠体３と固着してもよいが、着脱自在に取着して構成することが望ましい。
例えば、図７の本発明の小物ハンガーにおけるクリップとハンガー枠体の取着の説明用斜視図（ａ）に示すように、クリップ２の下部に、ハンガー枠体３の上部に設けた嵌合用溝６に滑動する嵌合用凸状部７を設け、クリップ２とハンガー枠体３を着脱自在に取着する。
前記のごとく、クリップ２とハンガー枠体３を着脱自在の取着構成とすることで、小物ハンガー１の使用用途によって、クリップ２を他種のもの、例えば、フック５（図３参照）や、図７（ｂ）に示すような鉤型フック８に取り替えて使うことができるものとなる。特に、本発明の小物ハンガー１の不使用時の保管の際などは、クリップ２やフック５より横架パイプＰ等の掛止部との接触面が少ない、鉤型フック８等に替えておくこともできる構成となっている。
【００１５】
また、クリップ２とハンガー枠体３を着脱自在の取着構成とすることで、ハンガー枠体３を使用用途に合わせて、適宜選択して使用することができるものとすることもできる。
例えば、図７（ｃ）に示すように、ストッキングや靴下などの軽量で小さなものだけを懸吊する場合などは、ハンガー枠体３の下方の垂設されている挟み具４を小型なものとし、多数垂設して使うとより効果的な小物ハンガー１となる。
なお、クリップ２又はフック５とハンガー枠体３の取着手段は、上記手段の他、着脱自在でかつハンガー枠体３が水平方向へ回動自在に形成される手段であればその取着手段は限定されない。
もちろん、使用用途に合わせて、クリップ２又はフック５とハンガー枠体３が固着して構成されてもよいことはいうまでもない。
【００１６】
本発明における小物ハンガー１においては、ハンガー枠体３は、小物を係止する挟み具４を垂設して構成されている。本発明の小物ハンガー１は、同小物ハンガー１が傾くことなく、整然と小物を懸吊できるものであり、ハンガー枠体３は、複数の小物を懸吊するに適した形状に構成される。
上述した実施例１〜実施例３においては、ハンガー枠体３は断面半円形の長尺の棒状体で形成されており、実施例４においてハンガー枠体３ａは、断面四角形の長尺の角柱体で形成している。
なお、本発明の小物ハンガー１は、小物を整理するものであるが、衣類とともに、小物を整理できるものとしても使用することもできる。例えば、図８の本発明の小物ハンガーの実施例５の説明用斜視図に示すように、ハンガー枠体３ｂを従来の衣類の肩部の形状に適合する形状に形成し、その下方に複数の挟み具４を備えて形成することにより、例えば、ハンガー枠体３ｂに衣類を係止し、その衣類と共に用いられるようなネクタイ、ハンカチーフ、靴下、タイピンやネックレスなどの身の回り品（挟み具に挟めない場合は、小袋等に入れて、小袋ごとに挟む）を、衣類のすぐそばに整理することができるものとなる。
【００１７】
また、図６や図８の実施例に示すようにハンガー枠体３の一部に凹部９を形成することもできる。前記凹部９は、長尺の小物、例えばベルトや、手提げポーチや、身の回り品を入れた小袋などを掛架することができるので、挟み具４で係止しにくい小物を、安定して懸吊することができるものとなっている。
【００１８】
なお、本発明の小物ハンガー１における小物等を懸吊するための挟み具４はハンガー枠体３に固定して垂設することもできるが、図６や図８に示すように、懸吊する小物の形状に合わせて、自由に挟み具４の配置位置を変更できる構成とすることが好ましい。
【００１９】
本発明の小物ハンガー１は、クリップ２やフック５、及びハンガー枠体３等、各部材は合成樹脂材や金属材等の、横架パイプＰに掛止され、小物を懸吊する際の荷重に耐えうる強度及び耐性を備えた材料で構成される。
なお、フック５に関しては、横架パイプＰを掴むように掛止することができ、また横架パイプＰから容易に脱着できるように、弾力性を有する合成樹脂材で形成することが好ましい。
【実施例１】
【００２０】
本発明の小物ハンガー１の使用例を図に基づいて説明する。
図９は、本発明の小物ハンガーの使用例１を示す説明用斜視図である。図において、小物ハンガー１は横架パイプＰの途中に、クリップ２で掛止されており、同クリップ２の下部には、ハンガー枠体３が垂設されている。そして、ハンガー枠体３の下部には、複数の挟み具４が垂設され、同挟み具４により、複数の小物、例えば、靴下（ストッキング）１０、ハンカチ１１、スカーフ１２等が懸吊されている。
なお、ハンガー枠体３は、水平方向へ回動自在に垂設されており、使用状況に合わせて、回動して使用することができるものとなっている。
また、本使用例におけるハンガー枠体３は、上面に凹部９が形成されており、長尺の小物、例えばベルト１３など、挟み具４で係止しにくい小物を、安定して掛架することができるように構成されている。
そして、本発明における小物ハンガー１は、クリップ２が、横架パイプＰを挟み込むように付勢されて掛止されており、かつそのパイプＰの表面との接触面が大きく構成されているので、横架パイプＰに確実に挟持することができ、垂設されるハンガー枠体３やその下方に懸吊される小物等の荷重に対しても、傾くことなく、かつ、横風等により飛ばされることもないものとなっている。
なお、本実施例及び使用例においては、本発明の小物ハンガーの掛止場所を横架パイプＰとしているが、洋服ダンス内に配置されているパイプや、室内外に備えられた物干し用の竿、店舗内の商品陳列用のハンガー台等、小物ハンガー１を掛止して用いることができる場所であれば、その掛止場所を限定するものではない。
【００２１】
また、本発明における小物ハンガー１は、図１０の使用例２の説明用斜視図に示すように、横架パイプＰに複数個並列に並べて使うことができるものである。
本発明における小物ハンガー１のクリップ２は、横架パイプＰとの接触面が大きく構成されているため、クリップ２の幅が広いので、横架パイプＰに複数個の小物ハンガー１を並べて掛止しても、隣接するハンガー枠体３は適当な距離が保持され、省スペースに整然と、かつ接近しすぎずに多数の小物を懸吊することができるものとなっている。
【００２２】
さらに、本発明における小物ハンガー１は、図１１の使用例３の説明用斜視図に示すように、複数個垂直に懸垂して使うこともできるものである。
複数個の小物ハンガーを懸垂して用いる場合には、例えば、一方のハンガー枠体３の上面に形設された複数の凹部９、９に、輪状のロープ１４や紐等を懸吊し、同ロープ１４や紐等の輪内の下方に他方のハンガー枠体３’を配置する。
さらに、下方の空間を使いたい場合には、ハンガー枠体３’の凹部９、９に輪状のロープ１４等を懸吊し、同ロープ１４等の輪内の下方にもう一つのハンガー枠体３”を配置して使用する。
上記のように懸垂して複数のハンガー１を使う場合には、下方に配置されるハンガー枠体３’、３”は、クリップ２やフック５を取り外した状態で使用されるのが好ましい。
このように、本発明の小物ハンガー１に、丈の短いものだけを懸吊して用いる場合には、上述のように複数個の小物ハンガー１のハンガー枠体３、３’、３”を懸垂することにより、空間を有効に利用することができるものとなる。
【図面の簡単な説明】
【００２３】
【図１】本発明の小物ハンガーの実施例１の斜視図
【図２】実施例１の説明用斜視図
【図３】本発明の小物ハンガーの実施例２の斜視図
【図４】本発明の小物ハンガーにおけるクリップの説明用斜視図
【図５】本発明の小物ハンガーの実施例３の説明用斜視図
【図６】本発明の小物ハンガーの実施例４の説明用斜視図
【図７】本発明の小物ハンガーにおけるクリップとハンガー枠体の取着の説明用斜視図
【図８】本発明の小物ハンガーの実施例５の説明用斜視図
【図９】本発明の小物ハンガーの使用例１を示す説明用斜視図
【図１０】本発明の小物ハンガーの使用例２の説明用斜視図
【図１１】本発明の小物ハンガーの使用例３の説明用斜視図
【図１２】従来のハンガーの斜視図
【符号の説明】
【００２４】
１  小物ハンガー
２  クリップ
２’、２”  クリップ片
３、３ａ、３ｂ、３’、３”  ハンガー枠体
４  挟み具
５  フック
６  嵌合用溝
７  嵌合用凸状部
８  鉤型フック
９  凹部
１０  靴下（ストッキング）
１１  ハンカチ
１２  スカーフ
１３  ベルト
１４  ロープ
１５  （従来のハンガーの）ハンガー枠体
１６  （従来のハンガーの）フック
１７  挟み具
２０  連結用支軸
２１  コイルバネ
２２  連結用支軸挿通孔
２３  コイルバネの端部
Ｐ  横架パイプ
【図１】
2005118235.tif 000003
【図２】
2005118235.tif 000004
【図３】
2005118235.tif 000005
【図４】
2005118235.tif 000006
【図５】
2005118235.tif 000007
【図６】
2005118235.tif 000008
【図７】
2005118235.tif 000009
【図８】
2005118235.tif 000010
【図９】
2005118235.tif 000011
【図１０】
2005118235.tif 000012
【図１１】
2005118235.tif 000013
【図１２】
2005118235.tif 000014